(57)【要約】【課題】表示解像度の異なる複数の表示装置に対して編集装置を共通にした表示システム及び表示方法を提供することを第一の課題とする。また、ＬＥＤ表示装置自身の解像度と異なる解像度のイメージデータやデジタル動画データを含む表示コンテンツを解像度変換して表示する場合にも、文字が識別不能になることのない表示システム及び表示方法を提供することを第二の課題とする。【解決手段】表示コンテンツに含まれる文字データと映像データとを分割してデータ領域に保持し、表示コンテンツを表示装置に表示する際に、映像データを表示装置の表示解像度に合わせた解像度に変換すると共に、文字データを表示装置が備える規定のフォントデータに変換し、映像と文字とを表示画面上に同時に表示する。【選択図】図１
2007163803.tif 000002
【特許請求の範囲】
【請求項１】
表示解像度の異なる２つ以上の表示装置に１つの編集装置から文字や映像を含む表示コンテンツを転送して表示する表示システムの表示方法において、
表示コンテンツが文字データと映像データとに分割されて構成されており、表示装置が表示コンテンツを表示する際に、映像データを表示装置の表示解像度に合わせた解像度に変換すると共に、文字データを表示装置が備える規定のフォントデータに変換し、映像と文字とを表示画面上に合成して表示することを特徴とする表示システムの表示方法。
【請求項２】
外部の編集装置で作成した文字や映像を含む表示コンテンツを表示装置に転送し、表示装置にドットマトリクス配列した表示素子を選択的に表示駆動することで文字や映像を表示する表示システムにおいて、
表示素子をドットマトリクス状に配列して所定解像度を持つ表示面を形成する表示部と、
外部の編集装置によって作成され文字データと映像データとが分割して収められた表示コンテンツを複数記憶する表示コンテンツ記憶部と、
前記表示コンテンツの表示タイミングを規定する表示スケジュールを記憶する表示スケジュール記憶部と、
文字コードに置き換えられた文字・記号等のフォントをドットパターンで表したフォントデータとして記憶するフォント記憶部と、
前記表示コンテンツに含まれる映像データの解像度を前記表示部の解像度に適合した解像度に変換する解像度変換手段と、
前記表示コンテンツに含まれる文字データを前記フォント記憶部から読み出した規定のフォントデータに変換する文字データ変換手段と、
前記表示スケジュール記憶部に記憶する表示スケジュールデータに基づき、前記表示コンテンツ記憶部から表示コンテンツを読み出して前記表示部に表示する制御部と、を表示装置に備え、
前記制御部は、表示コンテンツ記憶部から読み出した表示コンテンツに含まれる映像データの解像度を前記解像度変換手段により表示部の解像度に合わせて変換すると共に、表示コンテンツに含まれる文字データを前記文字データ変換手段により規定のフォントデータに変換し、映像と文字とを表示画面上に合成して表示することを特徴とする表示システム。
【発明の詳細な説明】
【技術分野】
【０００１】
本発明は、ＬＥＤ（発光ダイオード）等の表示素子からなる表示装置と、この表示装置とは別にパソコン等で構成する編集装置とを備え、編集装置で作成した表示コンテンツを表示装置に転送して文字と映像を表示する表示システム及びその表示方法に関する。
【背景技術】
【０００２】
ＬＥＤをプリント基板上にドットマトリクス配列し、ＬＥＤを選択的に発光駆動することで任意の表示データを発光表示する表示装置を設置し、この表示装置から離れた場所に設置された編集装置で作成した表示コンテンツを通信回線や構内回線、記憶媒体等を介して表示装置に転送する表示システムが知られている。編集装置で作成される表示コンテンツの種類には、パソコンにインストールされるフォントのように、標準のコードが割り当てられた文字・記号等のキャラクタデータからなるものや、ビットマップデータのようにドット情報の集まりで表現されるイメージデータからなるもの、あるいはＡＶＩ等のデジタル動画データからなるものがあり、更にはイメージデータやデジタル動画データを背景にして文字・記号を重ね合わせて表示するものがある。それら表示コンテンツを編集装置から表示装置に転送し、表示画面上に文章や静止画・動画を組み合わせた集客メッセージを表示したり、文字ニュース等を表示している。
【発明の開示】
【発明が解決しようとする課題】
【０００３】
近年、こうした表示システムがパチンコ店やテーマ施設に導入される事例が増えつつあり、屋外に大型のＬＥＤ表示装置を取り付け、屋内にはＬＣＤ（液晶ディスプレイ）やＰＤＰ（プラズマディスプレイ）を取り付けて施設の内外両方に向けて情報を表示することが行われている。それら表示装置には、集客のためのメッセージや施設案内の情報を提供するために予め作成された表示コンテンツが編集装置から送り込まれ、表示装置単体で稼働したり、あるいは遠隔制御によって表示制御が行われるようなシステムとなっている。このようなシステムでは、編集装置側で作成し転送する表示コンテンツは表示装置の種類に関係なく共通にするのが本来は望ましいのであるが、表示装置の解像度の違いにより表示装置ごとにシステムを構築したり、表示装置ごとのコンテンツ作成を余儀なくされていた。ＬＣＤやＰＤＰは少なくとも６４０×４８０ピクセルの解像度を備えるのに対して、ＬＥＤ表示装置は大きさや価格の制約によりその解像度ははるかに低く（例えば最も標準的な縦横１６×１６ドットのパネルであれば、６４０×４８０ピクセル相当の解像度を得るには４０×３０枚のパネルを配列する必要がある）、同じ表示コンテンツを解像度変換して共用するにはその差が大きすぎるのである。
【０００４】
多少の解像度の違いであれば、ＬＣＤやＰＤＰに合わせて作成した表示コンテンツの解像度を下げることでＬＥＤ表示装置に表示させることも可能であるが、仮に縦横４８０ｍｍサイズのＬＥＤパネルを横方向に１０枚、縦方向に６枚配列して約５メートル×約３メートルの表示画面を構成したとしてもその解像度は１６０×９６ピクセルに過ぎず、もし６４０×４８０ピクセルの画像を解像度変換して表示させようとすると、元の解像度に対して縦・横それぞれ２０〜２５％の解像度まで下げなければならない。そうした場合、静止画像や動画像であれば何とか認識することができても、画像に含まれている文字を認識することはほとんど不可能な状態となってしまうのである。
【０００５】
特許文献１に開示されるように、低い解像度の画像情報をそれより高い解像度の画像情報に変換する方法も考えられるが、上記の解像度差に対応するには縦・横それぞれ４００〜５００％に拡大する必要があり、やはり画像に含まれている文字を認識することは実質的に不可能である。
【０００６】
そこでやむなく、表示装置と編集装置で構成される表示システムを屋内用（ＬＣＤやＰＤＰ用）と屋外用（ＬＥＤ用）とで別々に用意し、表示コンテンツの作成から表示スケジュールの作成までそれぞれのシステムに対して行っていた。このことは機器構成の冗長化とコストの上昇を招くばかりでなく、作業が全て二度手間となり効率の悪化も招いていた。
【特許文献１】特開２００３−２２８３５６号
【０００７】
本発明は上記のような問題点に対処して成されたもので、第一の課題とするところは、表示解像度の異なる複数の表示装置に対して編集装置を共通にした表示システム及び表示方法を提供できないかという点にある。第二の課題とするところは、ＬＥＤ表示装置自身の解像度と異なる解像度のイメージデータやデジタル動画データを含む表示コンテンツを解像度変換して表示する場合にも、文字が識別不能になることのない表示システム及び表示方法を提供する点にある。
【課題を解決するための手段】
【０００８】
本発明は、上記課題を解決するために、表示解像度の異なる２つ以上の表示装置に１つの編集装置から文字や映像を含む表示コンテンツを転送して表示する表示システムの表示方法において、表示コンテンツが文字データと映像データとに分割されて構成されており、表示装置が表示コンテンツを表示する際に、映像データを表示装置の表示解像度に合わせた解像度に変換すると共に、文字データを表示装置が備える規定のフォントデータに変換し、映像と文字とを表示画面上に合成して表示することを特徴とする表示システムの表示方法を提案する。
【０００９】
また、外部の編集装置で作成した文字や映像を含む表示コンテンツを表示装置に転送し、表示装置にドットマトリクス配列した表示素子を選択的に表示駆動することで文字や映像を表示する表示システムにおいて、表示素子をドットマトリクス状に配列して所定解像度を持つ表示面を形成する表示部と、外部の編集装置によって作成され文字データと映像データとが分割して収められた表示コンテンツを複数記憶する表示コンテンツ記憶部と、
前記表示コンテンツの表示タイミングを規定する表示スケジュールを記憶する表示スケジュール記憶部と、文字コードに置き換えられた文字・記号等のフォントをドットパターンで表したフォントデータとして記憶するフォント記憶部と、前記表示コンテンツに含まれる映像データの解像度を前記表示部の解像度に適合した解像度に変換する解像度変換手段と、前記表示コンテンツに含まれる文字データを前記フォント記憶部から読み出した規定のフォントデータに変換する文字データ変換手段と、前記表示スケジュール記憶部に記憶する表示スケジュールデータに基づき、前記表示コンテンツ記憶部から表示コンテンツを読み出して前記表示部に表示する制御部と、を表示装置に備え、前記制御部は、表示コンテンツ記憶部から読み出した表示コンテンツに含まれる映像データの解像度を前記解像度変換手段により表示部の解像度に合わせて変換すると共に、表示コンテンツに含まれる文字データを前記文字データ変換手段により規定のフォントデータに変換し、映像と文字とを表示画面上に合成して表示することを特徴とする表示システムを提案する。
【発明の効果】
【００１０】
上記提案の発明によれば、表示解像度が異なる複数の表示装置に対して編集装置を共通化することができ、表示コンテンツや表示スケジュールの作成作業およびデータ自体も共通にすることができる。また、表示装置自身の表示解像度と異なる解像度のイメージデータやデジタル動画データを含む表示コンテンツを解像度変換して表示する場合にも、イメージデータやデジタル動画データのみを解像度変換し、文字データは表示装置が備える規定のフォントを使用して表示するので、文字がつぶれて判読不能な状態に陥ることなく確実に情報伝達を行うことができる。
以下、本発明の好適な実施形態を図面を参照しながら説明する。
【実施例】
【００１１】
図１は本発明実施例に関わる表示システムの全体構成を示す説明図である。１は編集装置で、パソコンに表示コンテンツ編集用のアプリケーションプログラムをインストールして構成しており、後述する表示装置で表示動作を行うために必要な表示コンテンツや表示スケジュールデータを作成する。また、表示コンテンツや表示スケジュールデータを表示装置側にデータ転送したり、データ転送時の処理手順等の設定を行うことができる。
【００１２】
２は表示装置であり、図示の例では表示素子にＬＥＤを用いたＬＥＤ表示装置を示している。以下その構成について説明する。３は表示部で、プリント基板上に複数のＬＥＤをドットマトリクス状に配列して構成している。この表示画面には複数の文字を表示したり、マトリクス面を使ってイメージ画像を表示することが可能で、図示の例では、後述する表示用フォント記憶部から読み出した１６×１６ドットで表される標準の全角サイズ文字を横方向に１０文字、縦方向に６文字表示可能なように１６０×９６ドットのマトリクスを構成している。また、１ドットは赤色（Ｒ）ＬＥＤ、緑色（Ｇ）ＬＥＤ、青色（Ｂ）ＬＥＤ、の３種類のＬＥＤが集合して構成されている。４はコモンドライバで、表示画面１にドットマトリクス配列したＬＥＤの行方向ラインを列方向にスキャンする。５はセグメントドライバで、コモンドライバ４によってスキャン駆動する行方向ラインにＬＥＤ点滅データを与える。６はメモリで、ＬＥＤ表示装置全体の動きに関する動作プログラムが記憶された制御プログラム記憶部６ａと、標準の文字コードに置き換えられた文字・記号等のキャラクタが１６×１６ドットのドットパターンで記憶される表示用フォント記憶部６ｂと、１つのキャラクタや複数のキャラクタ配列からなる文字・文章の表示素材や、ドット情報の集まりで表現されるイメージデータの表示素材、あるいはＡＶＩ等のデジタル動画データの表示素材といった各種表示素材によって構成される表示コンテンツを複数種類記憶する表示コンテンツ記憶部６ｃと、それら表示コンテンツをどのようなタイミングで表示するかを指定する表示スケジュールを記憶する表示スケジュール記憶部６ｄと、ＬＥＤ表示装置に関する各種設定データを記憶するデータ記憶部６ｅとからなっている。
【００１３】
７は制御部たるＣＰＵで、メモリ６で記憶するプログラムやデータに従い表示処理手順をこなす。８はＶＲＡＭで、オーバーレイ表示用の表示素材を展開するＶＲＡＭ８ａと、背景表示用の表示素材を展開するＶＲＡＭ８ｂとで構成されている。これらＶＲＡＭは表示部３のドットマトリクス構成に対応しており、フォント１文字分に相当する１６×１６ドットのマトリクスを基準にして、複数文字分のドットデータを展開可能な記憶領域を備えている。９は文字データ変換手段であり、表示コンテンツに含まれる文字コードのデータを表示用フォント記憶部６ｂから読み出したフォントデータに変換する。このフォントデータは、標準の文字コードと１対１で対応するドットパターンであり、１６×１６ドットで文字の字形を表している。したがって、表示コンテンツの中に標準文字コードとして含まれるデータは、表示用フォント記憶部６ｂによって規定される１６×１６ドットのドットパターンで表示部１に表示されることになる。表示コンテンツの中身は文字や文章に対応する文字コードや、イメージデータ、動画データに与えられた識別コードなどの並びからなるデータ構成から成り、表示部３で実際に表示するためには表示画面のＬＥＤ配列に対応したドットパターン情報に変換する必要がある。イメージデータや動画データといった映像についてのデータは、それに付された識別コードと対になる映像そのものを表すドットパターンデータが表示コンテンツ中に付随していることから、そのまま表示が可能であるが、文字についてのデータ（映像のドットパターンで描かれるものを除く）は、文字データ変換手段９により表示用フォント記憶部６ｂから読み出した規定のフォントデータに変換してはじめて表示が可能になるのである。そして、変換して得たフォントデータのドットパターンをオーバーレイ用ＶＲＡＭ８ａの記憶領域に展開した後、表示信号として出力する。
【００１４】
１０は解像度変換手段であり、表示コンテンツに含まれる映像データの解像度を表示部３の解像度に合わせて変換する。既に説明したように、表示部３は１６０×９６ドットのマトリクスで構成されており、即ち１６０×９６ピクセルの解像度を持つ。これに対し、表示コンテンツに含まれる映像データの解像度がＶＧＡ（６４０×４８０ピクセル）であった場合、表示装置がＶＧＡ対応のＬＣＤやＰＤＰであれば表示可能なものの、図示のＬＥＤ表示装置では表示が行えないため、６４０×４８０ピクセルから１６０×９６ピクセルに解像度を自動的に変換するのである。元のサイズに対して縦・横それぞれ２０〜２５％に縮小するため、当然映像データの画質は劣化することになるが、映像全体として見ると十分に認識することができる。ちなみに、仮に映像データ中に文字が描かれていたとすると、この解像度変換によりその文字は完全に崩れてしまい判読不能となるが、本実施例では、これまでであれば映像データの中に描いていた文字情報の部分を、標準の文字コードで表す文字データとして表示コンテンツの中に含めるため、解像度変換による画質劣化の影響とは無関係にすることができ、表示装置規定のフォントで鮮明に表示することができる。なお、解像度変換手段１０は、表示コンテンツに含まれる映像データを表示部３の解像度に自動的に合わせる機能を備えるものであるため、映像データの解像度はＶＧＡに限定されることなく他の解像度であってもよい。そして、解像度変換して得た映像データのドットパターンを背景表示用ＶＲＡＭ８ｂの記憶領域に展開した後、表示信号として出力する。
【００１５】
１１はＦＰＧＡ（Ｆｉｅｌｄ  Ｐｒｏｇｒａｍｍａｂｌｅ  Ｇａｔｅ  Ａｒｒａｙ）で、ＶＲＡＭ８ａならびにＶＲＡＭ８ｂからそれぞれ出力される表示信号を受けて表示制御データを作成し、コモンドライバ４及びセグメントドライバ５に表示制御用データを出力する。このＦＰＧＡ１１は表示部３にオーバーレイ表示を行うことが可能な重畳処理実行機能を備えておりＣＰＵ７の処理によりソフトウェア処理でオーバーレイ表示用データと背景表示用データとを重畳処理することなく、ＶＲＡＭ８ａおよびＶＲＡＭ８ｂにそれぞれ表示素材データを展開するだけでＦＰＧＡ１１のハードウェア処理により重畳することができる。したがって、文字データと映像データを含む表示コンテンツの場合には、表示部３に合わせて解像度変換した映像データと、表示装置の規定フォントに変換された文字データとが同時に重ね合わさって発光表示される。
【００１６】
１２はリアルタイムクロックＩＣで、ＣＰＵ７から任意のタイミングで要求を受け、年・日付・曜日を出力する。１３は通信インターフェースで、信号ケーブル１４を介して編集装置１に接続し、編集装置で作成した表示コンテンツや表示スケジュール、その他各種データをメモリ６へ転送可能にしている。また、図示しないが、通信インターフェース１３にはモデム・ターミナルアダプタ等の通信機器を接続することも可能で、電話回線やインターネット網を介してＬＥＤ表示装置２と編集装置１とを接続することができる。
【００１７】
ＬＥＤ表示装置２は以上のように構成されるが、編集装置１には他の表示デバイスからなる表示装置も接続することができる。例えば、図示のようにＬＥＤ表示装置２より高い解像度を持つＬＣＤ１４やＰＤＰ１５等も接続可能であり、編集装置１で作成した共通の同一表示コンテンツをＬＥＤ表示装置２、ＬＣＤ１４、ＰＤＰ１５の何れの表示装置にも表示させることができる。
【００１８】
次に、表示コンテンツのデータ構成について更に詳しく説明する。既に説明したように、編集装置１で作成されて表示コンテンツ記憶部６ｃに記憶される表示コンテンツには、「文字・文章からなるもの」「映像からなるもの」「文字・文章と映像との組み合わせからなるもの」がある。映像からなる表示コンテンツは更に「静止画のイメージデータからなるもの」と「デジタル動画データからなるもの」に分けることができる。静止画はビットマップデータのようにドット情報の集まりで表現される単一のデジタルイメージデータによって構成されており、動画はＡＶＩ（Ａｕｄｉｏ  Ｖｉｄｅｏ  Ｉｎｔｅｒｌｅａｖｉｎｇ）等の一般的なデジタル動画であり、フレーム単位の２次元画像が複数集まって構成されている。そして、そのデータ構成は図２に示すように、１つ１つの表示コンテンツの先頭に表示コンテンツを区別するための表示コンテンツ番号を格納する領域２０−１を備え、続いて表示する順番毎に表示素材としての映像データを格納する領域２０−２と、文字データを格納する領域２０−３とが収められている。文字データだけからなる表示コンテンツの場合はデータ領域２０−３だけに文字データが格納され、映像データだけからなる表示コンテンツの場合はデータ領域２０−２だけに映像データが格納され、文字データと映像データの組み合わせからなる表示コンテンツの場合はデータ領域２０−２と２０−３の両方にそれぞれデータが格納されるのである。前記編集装置１で表示コンテンツを作成する際に、例えば解像度ＶＧＡのアニメーションキャラクターの絵の上に「本日開店」の文字を重ねて合成し１枚の静止画を作成したとすると、その表示コンテンツのデータ構成は、データ領域２０−２にアニメーションキャラクターのイメージデータが格納され、データ領域２０−３に「本」「日」「開」「店」の順番で文字コードが格納される。そしてこの表示コンテンツを表示装置で表示するときには、表示装置が表示解像度ＶＧＡのＬＣＤやＰＤＰであれば解像度６４０×４８０ピクセルのイメージデータをそのまま表示すると共に「本日営業中」を重ねて表示する。表示装置が表示解像度１６０×９６ピクセルのＬＥＤ表示装置であれば、イメージデータの解像度を６４０×４８０ピクセルから１６０×９６ピクセルに変換して表示する一方で、文字データ「本日営業中」は表示装置が備える表示用フォント記憶部に基づいた規定サイズのフォントで解像度変換したイメージデータ上に重ねて表示するのである。
【００１９】
本発明は以上のように構成されるものであるが、上記実施例に限定されることなく種々の実施が可能である。例えば、上記実施例では表示コンテンツに含まれる映像データと文字データとを表示部３のドットマトリクス上で重ね合わせて合成表示するようにしているが、表示部３のドットマトリクスを映像データを表示する表示領域と文字データを表示する領域とに分割し、それぞれの領域に表示するようにしてもよい。また、表示コンテンツに含まれる映像データの解像度はＶＧＡに限定されるものではなく、他の解像度でもよいことは言うまでもない。さらに、表示コンテンツに含まれる映像データの解像度が表示装置の解像度よりも低い場合にも本発明は実施可能である。その場合は表示コンテンツ中の映像データを表示装置側の解像度に合わせて拡大すればよい。
【図面の簡単な説明】
【００２０】
【図１】本発明実施例に関わる表示システムの全体構成を示す説明図である。
【図２】表示コンテンツのデータ構成を示す説明図である。
【符号の説明】
【００２１】
１  編集装置
２  ＬＥＤ表示装置
３  表示部
４  コモンドライバ
５  セグメントドライバ
６  メモリ
６ｂ  表示用フォント記憶部
６ｃ  表示コンテンツ記憶部
６ｄ  表示スケジュール記憶部
７  制御部たるＣＰＵ
８  ＶＲＡＭ
８ａ  オーバーレイ表示用ＶＲＡＭ
８ｂ  背景表示用ＶＲＡＭ
９  文字データ変換手段
１０  解像度変換手段
１１  ＦＰＧＡ
１４  ＬＣＤ（液晶表示装置）
１５  ＰＤＰ（プラズマ表示装置）
【図１】
2007163803.tif 000003
【図２】
2007163803.tif 000004